(57)【要約】【課題】キャビネット同士を、左右勝手違いに容易に配置替えしうるとともに、配置替えしても、引戸を、左右いずれかの方向に支障なく開閉操作しうるようにした、体裁のよいコーナー用キャビネットを提供する。【解決手段】第２キャビネット４の奥行きを、第１キャビネット３の幅のほぼ１／２として、その前面の開口部のほぼ半分を閉塞し、残りの開口部を、前面が第１キャビネット３の筐体１７の前面とほぼ同一面をなすようにして、第１キャビネット３の開口部に左右方向に移動可能に設けられた１枚の引戸８により閉塞しうるようにし、かつ引戸８の幅を、この引戸８を第２キャビネット４側に最大限移動させたとき、引戸８の側端部に設けた把手９が、第２キャビネット４より僅かに前方に露出する寸法とする。【選択図】  図１
2010167051.tif 000002
【特許請求の範囲】
【請求項１】
前面が開口する第１キャビネットの前面の左右いずれかに、第２キャビネットの一側面を当接させることにより、両キャビネットを、壁面同士が交差する入隅部に、平面視Ｌ字状をなすように配置してなるコーナー用キャビネットにおいて、
前記第２キャビネットの奥行きを、前記第１キャビネットの幅のほぼ１／２として、その前面の開口部のほぼ半分を閉塞し、残りの開口部を、前面が第１キャビネットの筐体の前面とほぼ同一面をなすようにして、第１キャビネットの開口部に左右方向に移動可能に設けられた１枚の引戸により閉塞しうるようにし、かつ前記引戸の幅を、この引戸を第２キャビネット側に最大限移動させたとき、引戸における第２キャビネットと反対側の側端部に設けた把手が、第２キャビネットより僅かに前方に露出する寸法としたことを特徴とするコーナー用キャビネット。
【請求項２】
引戸の側端面と筐体の側面板との対向面のいずれか一方に、突部を、かつ他方に、突部が嵌合される凹部を、それぞれ上下方向に沿って設けてなる請求項１記載のコーナー用キャビネット。
【請求項３】
引戸における第２キャビネットと反対側の側端部に、施解錠操作により第１キャビネットの筐体と係脱しうるロック爪を備える施錠装置を設け、前記ロック爪を、引戸の側端面における突部の突出端または凹部の奥面に設けた挿通孔より突出させて、先端部を、側面板の内側面における凹部の奥面または突部の突出端に設けた係合孔に係合しうるようにした請求項２記載のコーナー用キャビネット。
【請求項４】
引戸の両側端部の前面と後面に、施錠装置を左右いずれかに選択して取付可能な施錠装置取付部を設けてなる請求項３記載のコーナー用キャビネット。
【請求項５】
施錠装置が取付けられていない引戸前面の施錠装置取付部を、引戸により開口部を閉じたとき、第２キャビネットの一側面により覆いうるようにしてなる請求項４記載のコーナー用キャビネット。
【請求項６】
第１キャビネットと第２キャビネットとの上面同士を、平面視Ｌ字形の天板により互いに連結してなる請求項１〜５のいずれかに記載のコーナー用キャビネット。
【発明の詳細な説明】
【技術分野】
【０００１】
本発明は、室内における２壁面が交差する入隅部に、２個のキャビネットを、平面視Ｌ字状に配置してなるコーナー用キャビネットに関する。
【背景技術】
【０００２】
この種のコーナー用キャビネットとしては、前面に１枚の引戸を有する一方のキャビネットを、入隅コーナー部の両壁面に沿って配置し、他方のキャビネットを、一側面が一方のキャビネットにおけるコーナー部側の側端部の前面と近接するように配置することにより、両キャビネット同士を平面視Ｌ字状をなすように配置し、かつ一方のキャビネットのコーナー部側の側端部前面と、それに対向する他方のキャビネットの一側面との間に、引戸を開く際にこれを収納しうる引戸収納部を設けたものがある(例えば特許文献１参照)。
【先行技術文献】
【特許文献】
【０００３】
【特許文献１】特開平１０−５０６３号公報
【発明の概要】
【発明が解決しようとする課題】
【０００４】
上記特許文献１に記載されているコーナー用キャビネットにおいては、引戸が、一方のキャビネットにおける筐体の前面より突出して設けられ、かつ一方のキャビネットのコーナー部側の側端部前面と、それに対向する他方のキャビネットの一側面との間に、引戸収納部を設けてあるため、引戸の開閉方向が左右いずれか一方に限定されることとなり、キャビネット同士を、左右勝手違いに配置替えできないという問題がある。
また、引戸を一方のキャビネットの筐体の前方に設けてあると、キャビネット同士の奥行きが異なってしまうため、両キャビネットの筐体を共通化することはできず、コスト高となるだけでなく、Ｌ字状に配置されるコーナー用キャビネットとしての体裁も悪くなる。
さらに、引戸収納部を有しているため、一方のキャビネットの前面に、他方のキャビネットの一側面を当接させて配置することができず、設置時の位置決めが面倒であり、作業能率が悪くなる。
【０００５】
本発明は、上記問題点に鑑みてなされたもので、２個のキャビネット同士を、左右勝手違いに容易に配置替えしうるとともに、配置替えしても、引戸を、左右いずれかの方向に支障なく開閉操作することができ、かつ両キャビネットの筐体の共通化を可能として、コスト低減を図れるようにした、体裁のよいコーナー用キャビネットを提供することを目的としている。
【課題を解決するための手段】
【０００６】
本発明によると、上記課題は、次の各項のようにして解決される。
（１）前面が開口する第１キャビネットの前面の左右いずれかに、第２キャビネットの一側面を当接させることにより、両キャビネットを、壁面同士が交差する入隅部に、平面視Ｌ字状をなすように配置してなるコーナー用キャビネットにおいて、前記第２キャビネットの奥行きを、前記第１キャビネットの幅のほぼ１／２として、その前面の開口部のほぼ半分を閉塞し、残りの開口部を、前面が第１キャビネットの筐体の前面とほぼ同一面をなすようにして、第１キャビネットの開口部に左右方向に移動可能に設けられた１枚の引戸により閉塞しうるようにし、かつ前記引戸の幅を、この引戸を第２キャビネット側に最大限移動させたとき、引戸における第２キャビネットと反対側の側端部に設けた把手が、第２キャビネットより僅かに左右方向に露出する寸法とする。
【０００７】
このような構成とすると、第１、第２キャビネット同士を、左右勝手違いに容易に配置替えすることができ、かつ配置替えしても、第１キャビネットの引戸を、左右いずれかの方向に支障なく開閉操作することができる。
また、引戸の前面が、第１キャビネットの筐体の前面とほぼ同一面をなしているので、第１、第２キャビネットの筐体の奥行きを等しくして共通化を図り、コストを低減することが可能となるとともに、コーナー用キャビネットとしての体裁を向上させることができる。
さらに、第２キャビネットの一側面を、第１キャビネットの前面に当接させて配置しうるので、両キャビネット同士を簡単に位置決めして配置することができる。
【０００８】
（２）上記(１)項において、引戸の側端面と筐体の側面板との対向面のいずれか一方に、突部を、かつ他方に、突部が嵌合される凹部を、それぞれ上下方向に沿って設ける。
【０００９】
このような構成とすると、凹部に突部が嵌合しているので、引戸が不完全な状態で閉じられ、その側端面と側面板との対向面間に隙間が形成されても、第１キャビネット内に塵埃等の異物が侵入したり、内部の収容物が前方より露見されたりするのが防止される。
【００１０】
（３）上記(２)項において、引戸における第２キャビネットと反対側の側端部に、施解錠操作により第１キャビネットの筐体と係脱しうるロック爪を備える施錠装置を設け、前記ロック爪を、引戸の側端面における突部の突出端または凹部の奥面に設けた挿通孔より突出させて、先端部を、側面板の内側面における凹部の奥面または突部の突出端に設けた係合孔に係合しうるようにする。
【００１１】
このような構成とすると、引戸の側端面における突部の突出端または凹部の奥面に設けた挿通孔より突出する施錠装置のロック爪の先端部は、凹部内に位置して隠蔽され、かつ係合孔との係合部も引戸の前面に露出しないので、防盗性が高まる。
【００１２】
（４）上記(３)項において、引戸の両側端部の前面と後面に、施錠装置を左右いずれかに選択して取付可能な施錠装置取付部を設ける。
【００１３】
このような構成とすると、第１キャビネットを左右勝手違いに配置しても、同じキャビネットの引戸に施錠装置を装着することができる。
【００１４】
（５）上記(４)項において、施錠装置が取付けられていない引戸前面の施錠装置取付部を、引戸により開口部を閉じたとき、第２キャビネットの一側面により覆いうるようにする。
【００１５】
このような構成とすると、第１キャビネットを左右勝手違いに配置しても、施錠装置が取付けられていない引戸前面の施錠装置取付部を、第２キャビネットにより体裁よく隠蔽することができる。
【００１６】
（６）上記(１)〜(５)項のいずれかにおいて、第１キャビネットと第２キャビネットとの上面同士を、平面視Ｌ字形の天板により互いに連結する。
【００１７】
このような構成とすると、第１、第２キャビネット同士を、一つの天板により、平面視Ｌ字形をなすように、体裁よく連結することができる。
【発明の効果】
【００１８】
本発明によれば、第１、第２キャビネット同士を、左右勝手違いに容易に配置替えすることができ、かつ配置替えしても、第１キャビネットの引戸を、左右いずれかの方向に支障なく開閉操作することができる。
また、引戸の前面が、第１キャビネットの筐体の前面とほぼ同一面をなしているので、見栄えがよく、かつ第１、第２キャビネットの筐体の奥行きを等しくして共通化を図り、コストを低減することが可能となるとともに、コーナー用キャビネットとしての体裁を向上させることができる。
さらに、第２キャビネットの一側面を、第１キャビネットの前面に当接させて配置しうるので、両キャビネット同士を簡単に位置決めして配置することができる。
【図面の簡単な説明】
【００１９】
【図１】本発明のコーナー用キャビネットの一実施形態の斜視図である。
【図２】同じく、一方の第１キャビネットの斜視図である。
【図３】図２のIII-III線に沿う要部の拡大縦断側面図である。
【図４】同じく、IV-IV線拡大横断平面図である。
【図５】引戸を後面より見た一部切欠き斜視図である。
【図６】同じく、引戸の施錠装置取付部の拡大斜視図である。
【図７】同じく、引戸を前方より見た斜視図である。
【発明を実施するための形態】
【００２０】
以下、本発明の実施形態を、図面に基づいて説明する。
図１は、本発明のコーナー用キャビネットの斜視図で、部屋の壁面１a、１b同士が交差する入隅部２に、平面視Ｌ字状をなすように配置された第１キャビネット３と第２キャビネット４とからなっている。なお、以下の説明において、第１及び第２キャビネット３、４の前後と左右方向は、便宜上、各壁面１a、１bに対面していうものとする。
【００２１】
第１キャビネット３は、入隅部２の奧側である左側面と、後面とが、それぞれ壁面１a、１bに当接または近接するようにして配置されている。
第２キャビネット４は、高さと幅が第１キャビネット３のそれとほぼ等しく、かつ前後(奥行)寸法が、第１キャビネット３の幅のほぼ半分の寸法とされ、右側面を、第１キャビネット３における左半部の前面に当接させるとともに、後面を壁面１aに当接または近接させて配置されている。
第１、第２キャビネット３、４同士は、それらの上面に固定された平面視Ｌ字状の天板５により互いに連結されている。
【００２２】
第２キャビネット４の前面の開口部には、２枚の引き違い引戸６、６が取付けられている。
第１キャビネット３の前面の開口部７には、１枚の引戸８が、次のようにして取付けられている。
【００２３】
図１の２点鎖線及び図２に示すように、引戸８の幅は、第１キャビネット３の開口部７を左右に二分する寸法よりも若干大とされている。すなわち、第２キャビネット４の側面により閉塞されていない右半部の開口部７を閉塞可能な幅で、かつ引戸８を最大限左方に移動させた際に、その右側端部の前面に設けた凹状把手９が、第２キャビネット４より僅かに右方に露出し、それを操作しうる幅とされている。なお、図２に示すように、引戸８の左側端部の前面にも、凹状把手９を設けてあるが、この凹状把手９は、第１、第２キャビネット３、４を、入隅部２に、左右勝手違いに配置する際に使用するものである。
【００２４】
図３に示すように、第１キャビネット３の底面板１０の前端部上面には、左右方向を向く前後２本のガイド凸条１１a、１１aを有する下部ガイドレール１１が固着され、また同じく、上面板１２の前端部下面に固着された側面視下向きコ字状をなす框部材１３の内部には、左右方向を向く前後二つの下向き凹状のガイド凹溝１４a、１４aを有する上部ガイドレール１４が、下部ガイドレール１１とほぼ対向するようにして固着されている。
【００２５】
引戸８の後部寄りの下面には、左右方向を向く下向き凹状断面の凹溝１５が形成され、また同じく、上端面の後半部には、左右方向を向く上向突部１６が突設され、これら凹溝１５と上向突部１６とを、それぞれ、上記下部ガイドレール１１における前側のガイド凸条１１aと、上部ガイドレール１４における前側のガイド凹溝１４aに嵌合することにより、引戸８は、その前面が第１キャビネット３の筐体１７の前面とほぼ同一面をなすようにして、開口部７に左右方向に移動可能に装着されている。このようにすると、第１キャビネット３の体裁がよくなる。
また、従来のように、引戸８が筐体１７の前方に突出していないので、第１、第２キャビネット３、４同士の奥行きを等しくすることが可能となり、コーナー用キャビネットとしての体裁を向上させることができる。
【００２６】
図４に示すように、第１キャビネット３の筐体１７における左右の側面板(左右同一形状に付き、右方のみ図示する)１７aの前端には、内向片１８aと、それに続く後向片１８bと、その後端に連続する、内向片１８aよりも短寸の外向片１８cとからなる屈折縁１８が、全高に亘って形成されている。
また、側面板１７aの前端部の内側面には、上下方向を向く補強部材１９が、その前端に形成された外向片１９a とそれに続く後向片１９bを、それぞれ、上記屈折縁１８における内向片１８aの後面と側面板１７aの内面に当接させ、かつ後端に連設された後向片１９cを、側面板１７aの内面に当接させて固着されている。補強部材１９の後端部には、上下方向に長い内向突部２０が突設され、この内向突部２０と、上記屈折縁１８との対向面間には、凹部２１が形成されている。
【００２７】
引戸８の側端面の後半部には、外向突部２２が、上述した上面の上向突部１６と連続するようにして形成されている。
引戸８を、その前半部の側端面が屈折縁１８の内側面に当接するまで右方に移動させて、開口部７を閉塞した際、後半部の外向突部２２が、上記凹部２１内に、外向片１８cの後面と摺接または近接するようにして嵌合されるようになっている。このようにすると、引戸８が不完全な状態で閉じられて、屈折縁１８との対向面間に隙間が形成されても、第１キャビネット３内に塵埃等の異物が侵入したり、内部の収容物が前方より露見されたりするのが防止される。
【００２８】
図４〜図７に示すように、引戸８の両側端部の後面における上下方向の中間部には、施錠装置取付部であるブラケット２３、２３が、スポット溶接等により固定され、右側のブラケット２３には、図６及び図７に示すように、施錠装置２４が取付けられている。この施錠装置２４は、上下方向の中間部が錠本体２５に上下に移動可能に連係されたデッドボルト２６と、このデッドボルト２６の上下の端部に内端部が連係され、かつブラケット２３の後面により軸支された上下１対の上向き鉤状のロック爪２７、２７とを備える公知のもので、施錠装置取付部である引戸８の前面に開口された通孔８a(図４参照)より突出するキーシリンダ部２８を、キーをもって施・解錠方向に回動操作すると、デッドボルト２６が上下動して、上下のロック爪２７、２７が、施錠位置と解錠位置とに上下方向に回動するようになっている。
【００２９】
ブラケット２３及び施錠装置２４は、引戸８の後面に固定されたカバー板２９により覆われている。なお、引戸８の左側のブラケット２３は、第１、第２キャビネット３、４を、入隅部２に、左右勝手違いに配置する際に、施錠装置２４を取付けるためのものであり、本実施形態のように、施錠装置２４を引戸８の右端部に装着した際には、引戸８の左側の前面に開口された、右側の通孔８aと同じ通孔(図示略)は、カバーキャップ３０が止着される(図７参照)。
このカバーキャップ３０は、引戸８により開口部を閉じた際、第２キャビネット４の側面により体裁よく覆われるようにしてある。このようにすると、引戸８の左側の通孔も第２キャビネット４の側面により覆われることとなるので、カバーキャップ３０は省略してもよい。
【００３０】
図４、図６及び図７に示すように、施錠装置２４の上下のロック爪２７、２７の先端部は、引戸８の側端面の後半部における外向突部２２の外側面に穿設された上下方向の挿通孔３１、３１より突出し、施錠装置２４を施錠操作した際、補強部材１９における両挿通孔３１と対向する内側面に設けた係合孔３２に係合しうるようになっている。
【００３１】
このようにすると、引戸８により開口部７を閉じた際、その側端面の外向突部２２は、屈折縁１８と補強部材１９とにより形成された凹部２１内に突入し、かつこの状態で、外向突部２２の挿通孔３１より突出するロック爪２７が補強部材１９の係合孔３２に係合して、引戸８が施錠されることとなる。従って、挿通孔３１より突出するロック爪２７の先端部は、凹部２１内に位置して隠蔽され、かつ係合孔３２との係合部も、引戸８の前方に露出しないので、防盗性が高まる。
【００３２】
上記実施形態では、引戸８の側端面に設けた外向突部２２を、側面板１７aの内側面に設けた凹部２１に嵌合させているが、それとは反対に、引戸８側に凹部を、かつ側面板１７a側に、凹部に嵌合する突部を設け、それらの対向面同士を、施錠装置２４のロック爪２７により拘束するようにしてもよい。
【００３３】
上記実施形態の施錠装置２４は、上下１対のロック爪２７を有するものとしたが、短寸とされたデッドボルト２５に、１つのロック爪２７を設けた施錠装置を用いてもよい。
【符号の説明】
【００３４】
１a 壁面
１b 壁面
２  入隅部
３  第１キャビネット
４  第２キャビネット
５  天板
６  引戸
７  開口部
８  引戸
８a 通孔(施錠装置取付部)
９  凹状把手
１０  底面板
１１  下部ガイドレール
１１a ガイド凸条
１２  上面板
１３  框部材
１４  上部ガイドレール
１４a ガイド凹溝
１５  凹溝
１６  上向突部
１７  筐体
１７a 側面板
１８  屈折縁
１８a 内向片
１８b 後向片
１８c 外向片
１９  補強部材
１９a 外向片
１９b 後向片
１９c 後向片
２０  内向突部
２１  凹部
２２  外向突部
２３  ブラケット(施錠装置取付部)
２４  施錠装置
２５  錠本体
２６  デッドボルト
２７  ロック爪
２８  キーシリンダ部
２９  カバー板
３０  カバーキャップ
３１  挿通孔
３２  係合孔
【図１】
2010167051.tif 000003
【図２】
2010167051.tif 000004
【図３】
2010167051.tif 000005
【図４】
2010167051.tif 000006
【図５】
2010167051.tif 000007
【図６】
2010167051.tif 000008
【図７】
2010167051.tif 000009